(57)【要約】【課題】  端末が使用中のセルについての近隣セルの情報を適切にリストアップすることのできる移動体通信制御装置を提供する。【解決手段】  データベース装置３１は、セル毎にそのセルについての近隣セルのセル情報を予め記憶している。記憶装置２８は、移動通信端末の使用中セルのセル情報とその使用中セルの使用開始順序とを記憶する。データ処理装置２２は、記憶装置２８に記憶された使用中セルのうち使用開始順序が最後の使用中セルについての近隣セルのセル情報を優先してデータベース装置３１から取り出す。出力装置３３は、データ処理装置２２により取り出された近隣セルのセル情報を移動通信端末に通知するメッセージに格納する。【選択図】      図２
2006222651.tif 000002
【特許請求の範囲】
【請求項１】
移動体通信システムにおいて、移動通信端末が使用中のセルについての近隣セルの情報を該移動通信端末に通知する移動体通信制御装置であって、
セル毎に該セルについての近隣セルのセル情報を予め記憶しているデータベース装置と、
前記移動通信端末の使用中セルのセル情報と該使用中セルの使用開始順序とを記憶する記憶装置と、
前記記憶装置に記憶された前記使用中セルのうち使用開始順序が最後の使用中セルについての近隣セルのセル情報を優先して前記データベース装置から取り出すデータ処理装置と、
前記データ処理装置により取り出された前記近隣セルのセル情報を前記移動通信端末に通知するメッセージに格納する出力装置とを有する移動体通信制御装置。
【請求項２】
前記データ処理装置は、使用開始順序が後の前記使用中セルのセル情報から順に前記記憶装置より取り出し、セル情報の取り出された使用中セルについての近隣セルのセル情報を、所定の上限セル数以内で前記データベース装置から取り出す、請求項１記載の移動体通信制御装置。
【請求項３】
前記データ処理装置は、前記使用中セルについての前記近隣セルのセル情報を取り出して前記記憶装置に記録しており、記録しようとしたセル情報が既に前記記憶装置に記録されていれば、該セル情報を重複して記録しない、請求項１または２に記載の移動体通信制御装置。
【請求項４】
前記移動体通信システムにおいて、少なくとも１つの無線基地局を収容する無線ネットワーク制御装置内に構成されている、請求項１〜３のいずれか１項に記載の移動体通信制御装置。
【請求項５】
移動体通信システムにおいて、移動通信端末が使用中のセルについての近隣セルの情報を構築するための近隣セルリスト情報構築方法であって、
セル毎に該セルについての近隣セルのセル情報を予めデータベースに記憶するステップと、
前記移動通信端末の使用中セルのセル情報と該使用中セルの使用開始順序とを記憶装置にて管理するステップと、
前記記憶装置にて管理されている前記使用中セルのうち使用開始順序が最後の使用中セルについての近隣セルのセル情報を優先して前記データベースから取り出すステップと、
取り出された前記近隣セルのセル情報を前記記憶装置に記録するステップとを有する近隣セルリスト情報構築方法。
【請求項６】
使用開始順序が後の前記使用中セルのセル情報から順に前記記憶装置より取り出し、セル情報の取り出された使用中セルについての近隣セルのセル情報を、所定の上限セル数以内で前記データベースから取り出して前記記憶装置に記録する、請求項５記載の近隣セルリスト情報構築方法。
【請求項７】
前記使用中セルについての前記近隣セルのセル情報を取り出して前記記憶装置に記録しており、記録しようとしたセル情報が既に前記記憶装置に記録されていれば、該セル情報を重複して記録しない、請求項５または６に記載の近隣セルリスト情報構築方法。
【発明の詳細な説明】
【技術分野】
【０００１】
本発明は、ＣＤＭＡ移動体通信システムに関し、特に、ＣＤＭＡ移動体通信システムの無線ネットワーク制御装置に関する。
【背景技術】
【０００２】
図４は、一般的なＣＤＭＡ移動体通信システムの構成例を示すブロック図である。図４を参照すると、ＣＤＭＡ移動体通信システムは無線ネットワーク制御装置（以下「ＲＮＣ」という）９１、９２および無線基地局９３、９４を有している。ＲＮＣ９１、９２はコアネットワーク９０に接続されている。ＲＮＣ９１には無線基地局９３、９４が接続されている。無線基地局９３のカバーするエリアはセル９５およびセル９６である。無線基地局９４のカバーするエリアはセル９７である。セル９５〜９７によりカバーされるエリアがサービスエリアである。セルがサービスエリアを構成する最小単位である。ここに示した各装置の数は説明のための例であり、これに限定されるものではない。
【０００３】
ＣＤＭＡ移動体通信システムでは、移動通信端末（以下「端末」という）９８は、サービスエリア内で無線によるＣＤＭＡ移動体通信サービスの提供を受けることができる。端末９８がセルを跨いで移動しても、端末９８に対する通信サービスは、通信が切断されることなく、また通信品質が劣化することなく、継続して提供されうる。このサービスを可能にする技術がハンドオーバーである。
【０００４】
例えば、セル９５において通信を行っている端末９８が、通信サービスに使用中のそのセル９５に隣接する他のセル９６の方向に移動すると、セル９５の電波品質が悪化し、セル９６の電波品質が良くなることが考えられる。
【０００５】
９６セルの電波がセル９５の電波と同等以上の品質になれば、端末９８は、セル９５に加えてセル９６も使用し始める。これにより２つのセル９５、９６が使用中となる。また、端末９８が更に移動してセル９５から外に出ると、そのセル９５の電波の品質は極端に劣化する。そうなると、端末９８はセル９５の使用を停止する。
【０００６】
このように、端末９８は、電波品質の変化に応じて無線回線を隣接セルへ切り替えていくことにより、通信を継続しながら移動することができる。また、上の例からも分かるように、端末９８は同時に２つ以上のセルの無線回線を使用することもある。
【０００７】
一般に、あるセルにいる端末の次のハンドオーバー先となりうるセルは、使用中のセルに隣接する特定のセルに限られる。あるセルにいる端末が次のハンドオーバー先として選ぶ可能性のある隣接するセルのことを、そのセルについての近隣セルと呼ぶ。そして、ＣＤＭＡ移動体通信システムでは、端末は、ハンドオーバーを行うために近隣セルのセル情報を知っておく必要がある。セル情報とは、セルの識別を可能にするためのセル番号などを含む、ハンドオーバーに必要な情報である。
【０００８】
ハンドオーバーを可能にするために、ＲＮＣから端末に対して近隣セルリスト情報が提供される（例えば、特許文献１参照）。一般に、１つのセルの周辺には複数のセルが存在するので、１つのセルについて近隣セルは複数存在する。そのため、近隣セルリスト情報には、あるセルの近隣セルとして定められた複数のセルの情報が格納される。なお、あるセルについての近隣セルリスト情報にはそのセル自身も含まれることが規定されている。
【０００９】
端末は、近隣セルリスト情報を受けることにより近隣セルへハンドオーバーが可能となる。ＲＮＣは、自身の配下にあるセルの各々についての近隣セルリスト情報をデータベースとして保有している。そして、ＲＮＣは、端末が使用中のセルについての近隣セルリスト情報をデータベースから取り出し、その端末に通知する。近隣セルリスト情報の通知には、Ｍｅａｓｕｒｅｍｅｎｔ  Ｃｏｎｔｒｏｌという信号メッセージが用いられる。
【特許文献１】特表平１０−５０９８４５号公報
【発明の開示】
【発明が解決しようとする課題】
【００１０】
図５は、従来のＲＮＣの構成を示すブロック図である。ここではＲＮＣ９１を例示するが、ＲＮＣ９２も同じ構成である。図５を参照すると、従来のＲＮＣ９１は、入力装置７１、データ処理装置７２、記憶装置７８、データベース装置８１、および出力装置８３を有している。データ処理装置７２は、使用中セル情報取り出し部７３、使用中セル情報書き込み部７４、使用中セル番号取り出し部７５、近隣セルリスト情報取り出し部７６、および近隣セルリスト情報書き込み部７７を有している。
【００１１】
記憶装置７８は、使用中セル情報テーブル記憶部７９および近隣セルリスト情報生成テーブル記憶部８０を有している。データベース装置８１は、近隣セルリスト情報記憶部８２を有している。
【００１２】
入力装置７１は、任意の端末についての近隣セルリスト情報生成要求を受け、データ処理装置７２に処理の開始を指示する。
【００１３】
データベース装置８１の近隣セルリスト情報記憶部８２は、配下の各セルについての近隣セルのセル情報をリストとして予め記憶している。近隣セルリスト情報記憶部８２は、各セルについて最大３２セル分の近隣セルリスト情報を記憶している。
【００１４】
記憶装置７８の近隣セルリスト情報生成テーブル記憶部８０は、端末に通知する近隣セルリスト情報を生成するための情報をテーブルに保持する。近隣セルリスト情報生成テーブル記憶部８０は、各端末について最大３２セル分の近隣セルリスト情報を格納できる。
【００１５】
使用中セル情報テーブル記憶部７９は、通信中の各端末が使用しているセルの情報を記憶する。ハンドオーバーにより新たにセルが使用中となれば、使用中セル情報テーブル記憶部７９は、そのセル情報をテーブルに追加する。また、ハンドオーバーにより使用中のセルが削除されれば、使用中セル情報テーブル記憶部７９は、削除されたセルのセル情報をテーブルから削除する。ここでは、１つの端末が同時に使用できるセルの数は最大３セルであるとする。そのため、使用中セル情報テーブル記憶部７９は１つの端末について最大で３セル分のセル情報を記憶できるものとする。
【００１６】
データ処理装置７２の使用中セル情報取り出し部７３は、使用中セル情報テーブル記憶部７９から、ある端末が使用中のセルのセル情報を取り出す。
【００１７】
使用中セル情報書き込み部７４は、使用中セル情報取り出し部７３により取り出されたセル情報を全て近隣セルリスト情報生成テーブル記憶部８０に格納する。
【００１８】
使用中セル番号取り出し部７５は、使用中セル情報テーブル記憶部７９から、使用中のセルのセル番号を１つずつ取り出す。
【００１９】
近隣セルリスト情報取り出し部７６は、使用中セル番号取り出し部７５により取り出されたセル番号のセルについての近隣セルリスト情報を、データベース装置８１の近隣セルリスト情報記憶部８２から取り出す。
【００２０】
近隣セルリスト情報書き込み部７７は、近隣セルリスト情報取り出し部７６により取り出された近隣セルリスト情報に含まれるセル情報を近隣セルリスト情報生成テーブル記憶部８０に格納する。１つの近隣セルリスト情報には最大３２セル分のセル情報が含まれている。なお、格納しようとするセル情報が既に近隣セルリスト情報生成テーブル記憶部８０に格納されていれば、近隣セルリスト情報書き込み部７７は、そのセル情報を近隣セルリスト情報生成テーブル記憶部８０に重複して格納することはしない。
【００２１】
使用中セル情報テーブル記憶部７９において使用中セルが複数であれば、使用中セル番号取り出し部７５、近隣セルリスト情報取り出し部７６、および近隣セルリスト情報書き込み部７７は、上述の格納処理を使用中セルの数だけ繰り返す。使用中セル情報テーブル記憶部７９には各端末について使用中セルのセル情報が最大３セル分記憶されているので、上述の動作は１つの端末について最大３回まで繰り返される。また、近隣セルリスト情報生成テーブル記憶部８０に格納可能な近隣セルリスト情報は最大３２セル分なので、１つの端末の近隣セル情報が３２セル分に達すると、その時点で、データ処理装置７２は格納処理を終了する。
【００２２】
出力装置８３は、データ処理装置７２の格納処理により記憶装置７８の近隣セルリスト情報生成テーブル記憶部８０に生成された近隣セルリスト情報をＭｅａｓｕｒｅｍｅｎｔ  Ｃｏｎｔｒｏｌ信号メッセージに格納して端末に送信する。
【００２３】
以上の構成を有する従来のＲＮＣ９１は、上述した各部の一連の動作により、各端末のハンドオーバー先候補となる近隣セルのセル情報を無線基地局を介して各端末に通知する。
【００２４】
Ｍｅａｓｕｒｅｍｅｎｔ  Ｃｏｎｔｒｏｌ信号メッセージにおける近隣セルリスト情報を格納する領域は有限である。
【００２５】
３ＧＰＰ勧告では、近隣セルリスト情報は、使用中セルを含めて３２セル分のセル情報までと規定されている。つまり、使用中セルが１つの場合を考えれば、１つのセルについて近隣セルは最大３１個まで定めることができる。ＲＮＣ９１では、各セルについて最大３１個までの近隣セルを近隣セルリスト情報としてデータベースに保有している。
【００２６】
一方、端末９８は同時に複数のセルを使用することができるが、その数には上限があり、現在では一般に最大３セルとされている。そうすると、３つのセルを使用中の端末では、３セルの各々に３１個の近隣セルがあれば、３つの自セルを加えて、近隣セルの総数は最大で９６セルになる。
【００２７】
ただし、通常では同時に使用中の３つの使用中セルについての近隣セルは一部で重複することが考えられ、また１つのセルに対して近隣セルが３１個未満となる場合があるので、実際には近隣セルが９６個となることは稀であると考えられる。しかし、１つの端末に通知すべき近隣セルリスト情報が上限の３２セルを上回る可能性はある。
【００２８】
ＲＮＣ９１は、近隣セルリスト情報が３２セル分に達すると格納処理を打ち切り、それまでに近隣セルリスト情報生成テーブル記憶部８０に格納した近隣セルリスト情報を端末に通知する。そのため、ハンドオーバー先候補となる近隣セルの情報が適切に端末９８に通知されない可能性がある。
【００２９】
例えば端末９８の移動方向によっては、一部の近隣セルの情報が通知されなかったために、本来であれば可能であったはずのハンドオーバーができないということが生じうる。その結果、その端末９８の通信が切断されることもある。
【００３０】
本発明の目的は、端末が使用中のセルについての近隣セルの情報を適切にリストアップすることのできる移動体通信制御装置を提供することである。
【課題を解決するための手段】
【００３１】
上記目的を達成するために、本発明の移動体通信制御装置は、
移動体通信システムにおいて、移動通信端末が使用中のセルについての近隣セルの情報を該移動通信端末に通知する移動体通信制御装置であって、
セル毎に該セルについての近隣セルのセル情報を予め記憶しているデータベース装置と、
前記移動通信端末の使用中セルのセル情報と該使用中セルの使用開始順序とを記憶する記憶装置と、
前記記憶装置に記憶された前記使用中セルのうち使用開始順序が最後の使用中セルについての近隣セルのセル情報を優先して前記データベース装置から取り出すデータ処理装置と、
前記データ処理装置により取り出された前記近隣セルのセル情報を前記移動通信端末に通知するメッセージに格納する出力装置とを有している。
【００３２】
本発明によれば、使用開始順序を記録しておき、その順序に基づいて、最後に追加された使用中セルの近隣セルのセル情報を優先的に取り出してメッセージに格納するので、次回のハンドオーバー先となる確率の高い近隣セルを優先的に移動通信端末に通知することができる。格納処理の途中で上限セル数分のセル情報が格納され処理が打ち切られても、次回のハンドオーバー先となる確率の高い近隣セルが確実にリストアップされる。
【００３３】
また、前記データ処理装置は、使用開始順序が後の前記使用中セルのセル情報から順に前記記憶装置より取り出し、セル情報の取り出された使用中セルについての近隣セルのセル情報を、所定の上限セル数以内で前記データベース装置から取り出すこととしてもよい。
【００３４】
これによれば、データ処理装置が使用開始順序に基づいて最後に追加された使用中セルから順に取り出し、データベース装置からその近隣セルリスト情報を取り出すので、次回のハンドオーバー先となる確率の高い近隣セルから順に上限セル数分までを移動通信端末に通知することができる。
【００３５】
また、前記データ処理装置は、前記使用中セルについての前記近隣セルのセル情報を取り出して前記記憶装置に記録しており、記録しようとしたセル情報が既に前記記憶装置に記録されていれば、該セル情報を重複して記録しないこととしてもよい。
【００３６】
また、前記移動体通信システムにおいて、少なくとも１つの無線基地局を収容する無線ネットワーク制御装置内に構成されているものとしてもよい。
【発明の効果】
【００３７】
本発明によれば、使用開始順序を記録しておき、その順序に基づいて、最後に追加された使用中セルの近隣セルのセル情報を優先的に取り出してメッセージに格納するので、次回のハンドオーバー先となる確率の高い近隣セルを優先的にリストアップすることができる。
【発明を実施するための最良の形態】
【００３８】
本発明を実施するための形態について図面を参照して詳細に説明する。
【００３９】
図１は、本発明の一実施形態によるＣＤＭＡ移動体通信システムの構成例を示すブロック図である。図１を参照すると、ＣＤＭＡ移動体通信システムは無線ネットワーク制御装置（以下「ＲＮＣ」という）１１、１２および無線基地局１３、１４を有している。ＲＮＣ１１、１２はコアネットワーク１０に接続されている。ＲＮＣ１１には無線基地局１３、１４が接続されている。無線基地局１３のカバーするエリアはセル１５およびセル１６である。無線基地局１４のカバーするエリアはセル１７である。セル１５〜１７によりカバーされるエリアがサービスエリアである。セルがサービスエリアを構成する最小単位である。ここに示した各装置の数は説明のための例であり、これに限定されるものではない。
【００４０】
ＣＤＭＡ移動体通信システムでは、移動通信端末（以下「端末」という）１８は、サービスエリア内で無線によるＣＤＭＡ移動体通信サービスの提供を受けることができる。端末１８がセルを跨いで移動しても、端末１８に対する通信サービスは、通信が切断されることなく、また通信品質が劣化することなく、継続して提供されうる。このサービスを可能にする技術がハンドオーバーである。
【００４１】
例えば、セル１５において通信を行っている端末１８が、通信サービスに使用中のそのセル１５に隣接する他のセル１６の方向に移動すると、セル１５の電波品質が悪化し、セル１６の電波品質が良くなることが考えられる。
【００４２】
１６セルの電波がセル１５の電波と同等以上の品質になれば、端末１８は、セル１５に加えてセル１６も使用し始める。これにより２つのセル１５、１６が使用中となる。また、端末１８が更に移動してセル１５から外に出ると、そのセル１５の電波の品質は極端に劣化する。そうなると、端末１８はセル１５の使用を停止する。
【００４３】
このように、端末１８は、電波品質の変化に応じて無線回線を隣接セルへ切り替えていくことにより、通信を継続しながら移動することができる。また、上の例からも分かるように、端末１８は同時に２つ以上のセルの無線回線を使用することもある。
【００４４】
一般に、あるセルにいる端末の次のハンドオーバー先となりうるセルは、使用中のセルに隣接する特定のセルに限られる。あるセルにいる端末が次のハンドオーバー先として選ぶ可能性のある隣接するセルのことを、そのセルについての近隣セルと呼ぶ。そして、ＣＤＭＡ移動体通信システムでは、端末は、ハンドオーバーを行うために近隣セルのセル情報を知っておく必要がある。セル情報とは、セルの識別を可能にするためのセル番号などを含む、ハンドオーバーに必要な情報である。
【００４５】
ハンドオーバーを可能にするために、ＲＮＣから端末に対して近隣セルリスト情報が提供される。一般に、１つのセルの周辺には複数のセルが存在するので、１つのセルについて近隣セルは複数存在する。そのため、近隣セルリスト情報には、あるセルの近隣セルとして定められた複数のセルの情報が格納される。なお、あるセルについての近隣セルリスト情報にはそのセル自身も含まれることが規定されている。
【００４６】
端末は、近隣セルリスト情報を受けることにより近隣セルへハンドオーバーが可能となる。ＲＮＣは、自身の配下にあるセルの各々についての近隣セルリスト情報をデータベースとして保有している。そして、ＲＮＣは、端末が使用中のセルについての近隣セルリスト情報をデータベースから取り出し、その端末に通知する。近隣セルリスト情報の通知には、Ｍｅａｓｕｒｅｍｅｎｔ  Ｃｏｎｔｒｏｌという信号メッセージが用いられる。
【００４７】
図２は、本実施形態によるＲＮＣの構成を示すブロック図である。ここではＲＮＣ１１を例示するが、ＲＮＣ１２も同じ構成である。図２を参照すると、ＲＮＣ１１は、入力装置２１、データ処理装置２２、記憶装置２８、データベース装置３１、および出力装置３３を有している。データ処理装置２２は、使用中セル情報取り出し部２３、使用中セル情報書き込み部２４、使用中セル番号取り出し部２５、近隣セルリスト情報取り出し部２６、および近隣セルリスト情報書き込み部２７を有している。
【００４８】
記憶装置２８は、使用中セル情報テーブル記憶部２９および近隣セルリスト情報生成テーブル記憶部３０を有している。データベース装置３１は、近隣セルリスト情報記憶部３２を有している。
【００４９】
入力装置２１は、任意の端末についての近隣セルリスト情報生成要求を受け、データ処理装置２２に処理の開始を指示する。
【００５０】
データベース装置３１の近隣セルリスト情報記憶部３２は、配下の各セルについての近隣セルのセル情報をリストとして予め記憶している。近隣セルリスト情報記憶部３２内の情報は、セル番号をキーとして、そのキーで示されたセルについての近隣セルのセル情報を取り出すことができるように記憶されている。近隣セルリスト情報記憶部３２は、各セルについて最大３２セル分の近隣セルリスト情報を記憶している。
【００５１】
記憶装置２８の近隣セルリスト情報生成テーブル記憶部３０は、端末に通知する近隣セルリスト情報を生成するための情報をテーブルに保持する。近隣セルリスト情報生成テーブル記憶部３０は、各端末について最大３２セル分の近隣セルリスト情報を格納できる。
【００５２】
使用中セル情報テーブル記憶部２９は、通信中の各端末が使用しているセルの情報と、そのセルがテーブルに追加された順序とを記憶する。ハンドオーバーにより新たにセルが使用中となれば、使用中セル情報テーブル記憶部２９は、そのセル情報をテーブルに追加する。また、ハンドオーバーにより使用中のセルが削除されれば、使用中セル情報テーブル記憶部２９は、削除されたセルのセル情報をテーブルから削除する。ここでは、１つの端末が同時に使用できるセルの数は最大３セルであるとする。使用中セル情報テーブル記憶部２９は１つの端末について最大で３セル分のセル情報を記憶できるものとする。
【００５３】
データ処理装置２２の使用中セル情報取り出し部２３は、使用中セル情報テーブル記憶部２９から、ある端末が使用中のセルのセル情報を取り出す。
【００５４】
使用中セル情報書き込み部２４は、使用中セル情報取り出し部２３により取り出されたセル情報を全て近隣セルリスト情報生成テーブル記憶部３０に格納する。
【００５５】
使用中セル番号取り出し部２５は、使用中セル情報テーブル記憶部２９から、使用中のセルのセル番号を、テーブルへの追加順序の遅い方から、１つずつ取り出す。
【００５６】
近隣セルリスト情報取り出し部２６は、使用中セル番号取り出し部２５により取り出されたセル番号のセルについての近隣セルリスト情報を、データベース装置３１の近隣セルリスト情報記憶部３２から取り出す。
【００５７】
近隣セルリスト情報書き込み部２７は、近隣セルリスト情報取り出し部２６により取り出された近隣セルリスト情報に含まれるセル情報を近隣セルリスト情報生成テーブル記憶部３０に格納する。１つの近隣セルリスト情報には最大３２セル分のセル情報が含まれている。なお、格納しようとするセル情報が既に近隣セルリスト情報生成テーブル記憶部３０に格納されていれば、近隣セルリスト情報書き込み部２７は、そのセル情報を近隣セルリスト情報生成テーブル記憶部３０に重複して格納することはしない。
【００５８】
使用中セル情報テーブル記憶部２９において使用中セルが複数であれば、使用中セル番号取り出し部２５、近隣セルリスト情報取り出し部２６、および近隣セルリスト情報書き込み部２７は、上述の格納処理を使用中セルの数だけ繰り返す。使用中セル情報テーブル記憶部２９には各端末について使用中セルのセル情報が最大３セル分記憶されているので、上述の動作は１つの端末について最大３回まで繰り返される。また、近隣セルリスト情報生成テーブル記憶部３０に格納可能な近隣セルリスト情報は最大３２セル分なので、１つの端末の近隣セル情報が３２セル分に達すると、その時点で、データ処理装置７２は格納処理を終了する。
【００５９】
出力装置３３は、データ処理装置２２の格納処理により記憶装置２８の近隣セルリスト情報生成テーブル記憶部３０に生成された近隣セルリスト情報をＭｅａｓｕｒｅｍｅｎｔ  Ｃｏｎｔｒｏｌ信号メッセージに格納して端末に送信する。
【００６０】
以上の構成を有する従来のＲＮＣ１１は、上述した各部の一連の動作により、各端末のハンドオーバー先候補となる近隣セルのセル情報を無線基地局を介して各端末に通知する。
【００６１】
図３は、本実施形態によるＲＮＣの動作を示すフローチャートである。
【００６２】
まず、入力装置１からの要求に応じて処理を開始したデータ処理装置２２の使用中セル情報取り出し部２３が、使用中セル情報テーブル記憶部２９から使用中セルのセル情報を取り出す（ステップ１０１）。
【００６３】
次に、データ処理装置２２の使用中セル情報書き込み部２４が、使用中のセルのセル情報を近隣セルリスト情報生成テーブル記憶部３０に格納する（ステップ１０２）。
【００６４】
次に、使用中セル番号取り出し部２３が、使用中セル情報テーブル記憶部２９からセル追加順序を読み出し、ハンドオーバーによって最後に追加された方から使用中セルのセル番号を１つ取り出す（ステップ１０３）。
【００６５】
次に、近隣セルリスト情報取り出し部２６が、そのセル番号をキーにしてデータベース装置３１の近隣セルリスト情報記憶部３２から近隣セルリスト情報を取り出す（ステップ１０４）。
【００６６】
次に、近隣セルリスト情報書き込み部２７が、その近隣セルリスト情報に含まれるセル情報を近隣セルリスト情報生成テーブル記憶部３０に格納する（ステップ１０５）。このとき、近隣セルリスト情報書き込み部２７は、格納しようとしたセル情報が既にテーブルに格納されていれば、それを重複して格納することはない。
【００６７】
次に、データ処理装置２２は、使用中セル情報テーブル記憶部２９に他の使用中セルがあるか否か判定する（ステップ１０６）。使用中セルが他にあれば、データ処理装置２２は、ステップ１０３の処理に戻り、次の使用中セルについて処理を繰り返す。ステップ１０３〜１０６の処理は最大３回繰り返される。
【００６８】
ステップ１０６の判定にて使用中セルが他になければ、データ処理装置２２は処理を終了し、出力装置３３が近隣セルリスト情報生成テーブル記憶部３０に生成された近隣セルリスト情報をＭｅａｓｕｒｅｍｅｎｔ  Ｃｏｎｔｒｏｌ信号メッセージに格納される（ステップ１０７）。Ｍｅａｓｕｒｅｍｅｎｔ  Ｃｏｎｔｒｏｌ信号メッセージに格納された近隣セルリスト情報は端末に送信される。
【００６９】
一般に、ハンドオーバーにより新たに追加されたセルの近隣セルが次回のハンドオーバー先となる確率が高いといえる。本実施形態によれば、ＲＮＣ９１は、記憶装置２８にて追加順序を記録しておき、その順序に基づいて、データ処理装置２２が、最後に追加された使用中セルの近隣セルのセル情報を、データベース装置３１から優先的に取り出して、端末９８に通知する信号メッセージに格納するので、端末９８の次回のハンドオーバー先となる確率の高い近隣セルを優先的にリストアップすることができる。格納処理の途中で上限セル数分のセル情報が格納され処理が打ち切られても、次回のハンドオーバー先となる確率の高い近隣セルが確実にリストアップされる。
【００７０】
また、本実施形態によれば、データ処理装置２２が使用開始順序に基づいて最後に追加された使用中セルから順に取り出し、データベース装置からその近隣セルリスト情報を取り出すので、次回のハンドオーバー先となる確率の高い近隣セルから順に上限セル数分までを端末９８に通知することができる。
【００７１】
なお、本実施形態では、好適な例として、近隣セルリスト情報を無線ネットワーク制御装置から端末に通知する構成を示したが、本発明はこの構成に限定されるものではない。移動体通信システムを構成するいずれかの装置から端末に近隣セルリスト情報を通知する構成に広く適用可能である。
【００７２】
また、本実施形態では、好適な例として、追加順序の遅い使用中セルから順に取り出して近隣セルを記録する例を示したが、本発明はこれに限定されるものではない。追加順序の遅い使用中セルを優先的に取り出して端末に通知することができれば、どのような順序で取り出してもよい。例えば、追加順序の早いものから取り出し、上限の３２セル分を超えた後は、初めに取り出したセル情報に上書きすることとしてもよい。
【００７３】
また、本実施形態では、好適な例として、全ての使用中セルを追加順序の遅いものから順に取り出し、近隣セルを抽出することとしたが、本発明はこれに限定されるものではない。例えば、最後に追加された使用中セルについての近隣セルを優先的に取り出して通知する限り、それ以降の使用中セルの順序が必ずしも追加順序の遅い順でなくてもよい。また、最後に追加された使用中セルについての近隣セルをだけを取り出して通知し、それ以降の使用中セルの近隣セルを通知しないこととしてもよい。
【図面の簡単な説明】
【００７４】
【図１】本発明の一実施形態によるＣＤＭＡ移動体通信システムの構成例を示すブロック図である。
【図２】本実施形態によるＲＮＣの構成を示すブロック図である。
【図３】本実施形態によるＲＮＣの動作を示すフローチャートである。
【図４】一般的なＣＤＭＡ移動体通信システムの構成例を示すブロック図である。
【図５】従来のＲＮＣの構成を示すブロック図である。
【符号の説明】
【００７５】
１０    コアネットワーク
１１、１２    無線ネットワーク制御装置（ＲＮＣ）
１３、１４    無線基地局
１５〜１７    セル
１８    移動通信端末（端末）
２１    入力装置
２２    データ処理装置
２３    使用中セル情報取り出し部
２４    使用中セル情報書き込み部
２５    使用中セル番号取り出し部
２６    近隣セルリスト情報取り出し部
２７    近隣セルリスト情報書き込み部
２８    記憶装置
２９    使用中セル情報テーブル記憶部
３０    近隣セルリスト情報生成テーブル記憶部
３１    データベース装置
３２    近隣セルリスト情報記憶部
３３    出力装置
１０１〜１０７    ステップ
【図１】
2006222651.tif 000003
【図２】
2006222651.tif 000004
【図３】
2006222651.tif 000005
【図４】
2006222651.tif 000006
【図５】
2006222651.tif 000007